(57)【要約】      （修正有）【課題】発信者を精度良く特定する認証システム、認証方法、プログラム及び当該プログラムを記録したコンピュータ読み取り可能な記録媒体を提供する。【解決手段】登録者の声紋情報及び登録者端末の端末識別情報を記録する記録装置２１と、発信者の音声情報及び発信者端末３の端末識別情報を受信する取得手段２２１と、発信者の音声情報を声紋情報に変換する変換手段２２２と、登録者端末の端末識別情報及び発信者端末３の端末識別情報を照合し、登録者の声紋情報及び発信者の声紋情報を照合する判定手段２２３と、を備えている認証システム１。【選択図】図１
2015079315.tif 000002
【特許請求の範囲】
【請求項１】
受信者端末が発信者端末から電話着信を受けると、前記受信者端末に予め登録された登録者の照合情報と発信者の被照合情報とを照合する認証システムであって、
前記登録者の声紋情報及び登録者端末の端末識別情報を記録する記録手段と、
前記発信者の音声情報及び前記発信者端末の端末識別情報を受信する取得手段と、
前記発信者の音声情報を声紋情報に変換する変換手段と、
前記登録者端末の端末識別情報と前記発信者端末の端末識別情報とを照合し、前記登録者の声紋情報と前記発信者の声紋情報とを照合する判定手段と、
を備えていることを特徴とする認証システム。
【請求項２】
前記判定手段の照合結果を通知する通知手段を備えていることを特徴とする請求項１記載の認証システム。
【請求項３】
前記取得手段は、
前記発信者端末に自動音声応答通話を送信する自動音声送信部と、
前記自動音声応答通話に対する発信者の音声入力に応じた前記発信者の音声情報を受信する音声情報受信部と、
を備えていることを特徴とする請求項２記載の認証システム。
【請求項４】
前記登録者端末の端末識別情報は、前記登録者端末の電話番号であり、
前記発信者端末の端末識別情報は、前記発信者端末の電話番号であることを特徴とする請求項１乃至３の何れか１項記載の認証システム。
【請求項５】
前記登録者端末の端末識別情報は、前記登録者端末に組み込まれた非接触型ＩＣの製造番号であり、
前記発信者端末の端末識別情報は、前記発信者端末に組み込まれた非接触型ＩＣの製造番号であることを特徴とする請求項１乃至３の何れか１項記載の認証システム。
【請求項６】
受信者端末が発信者端末から電話着信を受けると、前記受信者端末に予め登録された登録者の照合情報と発信者の被照合情報とを照合する認証方法であって、
前記登録者の声紋情報及び登録者端末の端末識別情報を記録する記録工程と、
前記発信者の音声情報及び前記発信者端末の端末識別情報を受信する取得工程と、
前記発信者の音声情報を声紋情報に変換する変換工程と、
前記登録者端末の端末識別情報と前記発信者端末の端末識別情報とを照合し、前記登録者の声紋情報と前記発信者の声紋情報とを照合する判定工程と、
を含んでいることを特徴とする認証方法。
【請求項７】
受信者端末が発信者端末から電話着信を受けると、前記受信者端末に予め登録された登録者の照合情報と発信者の被照合情報とを照合する認証システムを実行するためのプログラムであって、
前記登録者の声紋情報及び登録者端末の端末識別情報を記録する記録ステップと、
前記発信者の音声情報及び前記発信者端末の端末識別情報を受信する取得ステップと、
前記発信者の音声情報を声紋情報に変換する変換ステップと、
前記登録者端末の端末識別情報と前記発信者端末の端末識別情報とを照合し、前記登録者の声紋情報と前記発信者の声紋情報とを照合する判定ステップと、
を含んでいることを特徴とするプログラム。
【請求項８】
請求項７記載の認証システムを実行するためのプログラムを記録したコンピュータ読み取り可能な記録媒体。
【発明の詳細な説明】
【技術分野】
【０００１】
本発明は、認証システム、認証方法、プログラム及び当該プログラムを記録したコンピュータ読み取り可能な記録媒体に関する。
【背景技術】
【０００２】
近年、携帯電話等の電話機を利用して、高額な現金を振り込ませる「振り込め詐欺」による被害が急増している。このような被害を軽減又は無くすために、種々の対策が講じられている。特に、発信者の声紋と事前に声紋情報を登録した登録者の声紋とを照合し、発信者が登録者に該当するか否かの認証を行って、不審な発信者からの電話を把握することが有効である。
【０００３】
発信者と登録者との照合を行う認証システムとして、電話機に対応させて声紋データを記憶した声紋登録データベースと、第１の電話機からの発呼により確立された、第１の電話機と第２の電話機との間の呼接続の電話網における経路を検出する経路検出手段と、第１の電話機から第２の電話機に送信される音声データを、経路検出手段により検出された経路から取得する音声取得手段と、声紋登録データベースに記憶された、第２の電話機に対応した声紋データを参照して、声紋データの声紋と音声取得手段により取得された音声データの声紋との照合を行う声紋照合手段と、を備えるものが知られている（例えば、特許文献１参照）。
【先行技術文献】
【特許文献】
【０００４】
【特許文献１】特開２０００−３２４２３０号公報。
【発明の概要】
【発明が解決しようとする課題】
【０００５】
しかしながら、上述したような認証システムでは、高音声及び低音声が圧縮されて中音声のみが使用されるという電話機の音声伝送の特性上、例えば、発信者が老齢化する等して発信者の音声が変化した場合に、事前に声紋登録データベースに記憶された声紋データの声紋発信者が発した音声データの声紋とが一致し難くなり、照合精度が低下する虞があるという問題があった。
【０００６】
そこで、発信者を精度良く特定するために解決すべき技術的課題が生じてくるのであり、本発明は、この課題を解決することを目的とする。
【課題を解決するための手段】
【０００７】
本発明は、上記目的を達成するために提案するものであり、請求項１記載の発明は、受信者端末が発信者端末から電話着信を受けると、前記受信者端末に予め登録された登録者の照合情報と発信者の被照合情報とを照合する認証システムであって、前記登録者の声紋情報及び登録者端末の端末識別情報を記録する記録手段と、前記発信者の音声情報及び前記発信者端末の端末識別情報を受信する取得手段と、前記発信者の音声情報を声紋情報に変換する変換手段と、前記登録者端末の端末識別情報と前記発信者端末の端末識別情報とを照合し、前記登録者の声紋情報と前記発信者の声紋情報とを照合する判定手段と、を備えていることを特徴とする認証システム。
【０００８】
この構成によれば、声紋情報による照合に加えて、登録者端末の端末識別情報と発信者端末の端末識別情報との照合を行うことにより、老齢化等によって発信者の音声情報が事前登録時から変化した場合であっても、発信者と登録者との認証を精度良く実施することができる。
【０００９】
請求項２記載の発明は、請求項１記載の発明の構成に加えて、前記判定手段の照合結果を通知する通知手段を備えている認証システムを提供する。
【００１０】
この構成によれば、照合結果が通知されるため、受信者が不審者からの電話を認識することができる。
【００１１】
請求項３記載の発明は、請求項２記載の発明の構成に加えて、前記取得手段は、前記発信者端末に自動音声応答通話を送信する自動音声送信部と、前記自動音声応答通話に対する発信者の音声入力に応じた前記発信者の音声情報を受信する音声情報受信部と、を備えている認証システムを提供する。
【００１２】
この構成によれば、発信者端末からの電話着信の際に、電話に出ることなく発信者の音声情報を受信可能なため、受信者が電話に出る前に、受信者が不審者からの電話を認識することができる。
【００１３】
請求項４記載の発明は、請求項１乃至３の何れか１項記載の発明の構成に加えて、前記登録者端末の端末識別情報は、前記登録者端末の電話番号であり、前記発信者端末の端末識別情報は、前記発信者端末の電話番号である認証システムを提供する。
【００１４】
この構成によれば、発信者の声紋データと登録者の声紋データとの照合に加えて、発信者端末の電話番号と事前に登録された登録者端末の電話番号との一致、不一致を判定することにより、発信者と登録者との認証を精度良く実施することができる。
【００１５】
請求項５記載の発明は、請求項１乃至３の何れか１項記載の発明の構成に加えて、前記登録者端末の端末識別情報は、前記登録者端末に組み込まれた非接触型ＩＣの製造番号であり、前記発信者端末の端末識別情報は、前記発信者端末に組み込まれた非接触型ＩＣの製造番号である認証システムを提供する。
【００１６】
この構成によれば、発信者の声紋データと登録者の声紋データとの照合に加えて、発信者端末に組み込まれた非接触型ＩＣの製造番号と事前に登録された登録者端末に組み込まれた非接触型ＩＣの製造番号との一致、不一致を判定することにより、発信者と登録者との認証を精度良く実施することができる。
【００１７】
請求項６記載の発明は、受信者端末が発信者端末から電話着信を受けると、前記受信者端末に予め登録された登録者の照合情報と発信者の被照合情報とを照合する認証方法であって、前記登録者の声紋情報及び登録者端末の端末識別情報を記録する記録工程と、前記発信者の音声情報及び前記発信者端末の端末識別情報を受信する取得工程と、前記発信者の音声情報を声紋情報に変換する変換工程と、前記登録者端末の端末識別情報と前記発信者端末の端末識別情報とを照合し、前記登録者の声紋情報と前記発信者の声紋情報とを照合する判定工程と、を含んでいる認証方法を提供する。
【００１８】
この構成によれば、声紋情報による照合に加えて、登録者端末の端末識別情報と発信者端末の端末識別情報との照合を行うことにより、老齢化等によって発信者の音声情報が事前登録時から変化した場合であっても、発信者と登録者との認証を精度良く実施することができる。
【００１９】
請求項７記載の発明は、受信者端末が発信者端末から電話着信を受けると、前記受信者端末に予め登録された登録者の照合情報と発信者の被照合情報とを照合する認証システムを実行するためのプログラムであって、前記登録者の声紋情報及び登録者端末の端末識別情報を記録する記録ステップと、前記発信者の音声情報及び前記発信者端末の端末識別情報を受信する取得ステップと、前記発信者の音声情報を声紋情報に変換する変換ステップと、前記登録者端末の端末識別情報と前記発信者端末の端末識別情報とを照合し、前記登録者の声紋情報と前記発信者の声紋情報とを照合する判定ステップと、を含んでいるプログラムを提供する。
【００２０】
この構成によれば、声紋情報による照合に加えて、登録者端末の端末識別情報と発信者端末の端末識別情報との照合を行うことにより、老齢化等によって発信者の音声情報が事前登録時から変化した場合であっても、発信者と登録者との認証を精度良く実施する認証システムを実行することができる。
【００２１】
請求項８記載の発明は、請求項７記載の認証システムを実行するためのプログラムを記録したコンピュータ読み取り可能な記録媒体を提供する。
【００２２】
この構成によれば、声紋情報による照合に加えて、登録者端末の端末識別情報と発信者端末の端末識別情報との照合を行うことにより、老齢化等によって発信者の音声情報が事前登録時から変化した場合であっても、発信者と登録者との認証を精度良く実施する認証システムを実行することができる。
【発明の効果】
【００２３】
本発明に係る認証システム及び認証方法は、老齢化等によって発信者の音声情報が事前登録時から若干変化した場合であっても、発信者と登録者との認証を精度良く実施することができる。
【００２４】
また、本発明に係るプログラム又はこのプログラムを記録した記録媒体は、老齢化等によって発信者の音声情報が事前登録時から若干変化した場合であっても、発信者と登録者との認証を精度良く実施する認証システムを実行することができる。
【図面の簡単な説明】
【００２５】
【図１】本発明の一実施例に係る認証システムを示すブロック図。
【図２】認証処理の手順を示すフローチャート。
【発明を実施するための形態】
【００２６】
本発明に係る認証システムは、発信者を精度良く特定するという目的を達成するために、受信者端末が発信者端末から電話着信を受けると、受信者端末に予め登録された登録者の照合情報と発信者の被照合情報とを照合する認証システムであって、登録者の声紋情報及び登録者端末の端末識別情報を記録する記録手段と、発信者の音声情報及び発信者端末の端末識別情報を受信する取得手段と、発信者の音声情報を声紋情報に変換する変換手段と、登録者端末の端末識別情報と発信者端末の端末識別情報とを照合し、登録者の声紋情報と発信者の声紋情報とを照合する判定手段と、を備えていることにより実現した。
【００２７】
また、本発明に係る認証方法は、発信者を精度良く特定するという目的を達成するために、受信者端末が発信者端末から電話着信を受けると、受信者端末に予め登録された登録者の照合情報と発信者の被照合情報とを照合する認証方法であって、登録者の声紋情報及び登録者端末の端末識別情報を記録する記録工程と、発信者の音声情報及び発信者端末の端末識別情報を受信する取得工程と、発信者の音声情報を声紋情報に変換する変換工程と、登録者端末の端末識別情報と発信者端末の端末識別情報とを照合し、登録者の声紋情報と発信者の声紋情報とを照合する判定工程と、を含んでいることにより実現した。
【００２８】
また、本発明に係るプログラムは、発信者を精度良く特定するという目的を達成するために、受信者端末が発信者端末から電話着信を受けると、受信者端末に予め登録された登録者の照合情報と発信者の被照合情報とを照合する認証システムを実行するためのプログラムであって、登録者の声紋情報及び登録者端末の端末識別情報を記録する記録ステップと、発信者の音声情報及び発信者端末の端末識別情報を受信する取得ステップと、発信者の音声情報を声紋情報に変換する変換ステップと、登録者端末の端末識別情報と発信者端末の端末識別情報とを照合し、登録者の声紋情報と発信者の声紋情報とを照合する判定ステップと、を含んでいることにより実現した。
【実施例】
【００２９】
以下、本発明の一実施例に係る認証システム１について、図１に基づいて説明する。
【００３０】
認証システム１は、受信者端末２と、受信者端末２と通信可能な発信者端末３とを備えている。
【００３１】
まず、受信者端末２の具体的構成について、図面に基づいて説明する。
【００３２】
受信者端末２は、受信者が用いる携帯電話であって、記録装置２１と、制御装置２２と、通信装置２３と、表示装置としてのディスプレイ２４と、操作装置としてのタッチパネル２５と、を備えている。
【００３３】
記憶装置２１は、受信者端末２の動作に必要なプログラム及び各種データを記憶する外部記憶装置であって、例えば、フラッシュメモリ等の半導体型記憶媒体、その他の任意の記録媒体を用いることができる。
【００３４】
記憶装置２１は、記録手段としての照合情報データベース（以下、「照合情報ＤＢ」という）２１ａを備えている。照合情報ＤＢ２１ａには、照合情報としての登録者の声紋データと登録者端末の端末識別情報とが予め記憶されている。「登録者の声紋データ」とは、例えば、マイク等を介して入力された登録者の音声情報を隠れマルコフモデル（ＨＨＭ：Ｈｉｄｄｅｎ  Ｍａｒｋｏｖ  Ｍｏｄｅｌ）等の確率モデルに基づいて変換して得られる声紋情報である。「登録者端末の端末識別情報」とは、登録者が用いる登録者端末に関する情報の内、登録者端末固有の情報であり、例えば、登録者端末の電話番号、登録者端末の製造番号、登録者端末の位置情報、登録者端末に組み込まれた非接触型ＩＣ（例えば、ソニー社のフェリカ（Ｆｅｌｉｃａ）（登録商標））の製造番号、登録者の氏名、登録者の住所等の少なくとも１つを含む登録者端末を特定し得るものであれば、如何なるものであっても構わない。
【００３５】
制御装置２２は、図示しないＣＰＵ（Central Processing Unit）、ＲＯＭ（Read Only Memory）、ＲＡＭ（Random Access Memory）等を備えている。ＲＯＭ等に記憶されたプログラムを実行することにより、受信者端末２を動作させることができる。なお、プログラムは、受信者端末２と分離可能でコンピュータ読み取り可能な記憶媒体に記憶されても構わない。制御装置２２は、取得手段２２１と、変換手段２２２と、判定手段２２３と、通知手段２２４と、を備えている。
【００３６】
取得手段２２１は、受信者端末２が発信者端末３から電話を着信すると、通信装置２３が発信者端末３から受信した後述する発信者の音声情報と発信者端末３の端末識別情報とを受信する。取得手段２２１は、自動音声送信部２２１ａと、音声情報受信部２２１ｂと、端末識別情報受信部２２１ｃと、を備えている。
【００３７】
自動音声送信部２２１ａは、受信者端末２からの電話着信に応じて、自動音声応答通話を発する。「自動音声応答通話」とは、例えば、発信者端末３からの電話着信に自動応答して、発信者端末３へ音声ガイダンスを送信するものである。音声ガイダンスの内容としては、発信者に所定のメッセージを発するように促すものである。
【００３８】
音声情報受信部２２１ｂは、自動音声送信部２２１ａから送信された自動音声応答通話に対する発信者の音声入力に応じた発信者の音声情報を取得する。
【００３９】
端末識別情報受信部２２１ｃは、発信者端末３からの電話着信の際に、自動音声送信部２２１ａが発信者端末３から受信した発信者端末３の端末識別情報を取得する。
【００４０】
変換手段２２２は、音声情報受信部２２１ｂが取得した発信者の音声情報を被照合情報としての発信者の声紋情報に変換する。音声情報から声紋情報への変換は、例えば、隠れマルコフモデル等の確率モデルに基づいて行われる。
【００４１】
判定手段２２３は、登録者情報ＤＢ２１ａに記憶された登録者端末の端末識別情報と、音声情報受信部２２１ｂが取得した発信者端末３の端末識別情報とを照合し、発信者端末３と登録者端末とが同一か否かを判定する。
また、判定手段２２３は、登録者情報ＤＢ２１ａに記憶された登録者の声紋情報と、変換手段２２２に変換された発信者の声紋情報とを照合し、発信者と登録者とが同一か否かを判定する。
なお、声紋情報の照合と端末識別情報の照合とは、同時に実施しても、何れか一方を先行して実施した後に、他方を実施しても構わない。
【００４２】
通知手段２２４は、判定手段２２３の照合結果をディスプレイ２４上に表示する。照合結果は、例えば、登録者の声紋情報と発信者の声紋情報との一致率を表示し、登録者端末の端末識別情報と発信者端末３の端末識別情報との一致又は不一致を表示する。通知手段２４による照合結果の通知は、ディスプレイ２４にリアルタイムに表示されるものであっても、通話終了後に表示するものであっても構わない。
【００４３】
通信装置２３は、発信者端末３との間で無線又は有線で各種情報の通信を行うものである。
【００４４】
ディスプレイ２４は、制御装置２２に表示制御されている。ディスプレイ２４は、例えば、液晶ディスプレイ、有機ＥＬディスプレイ等を用いても構わない。
【００４５】
タッチパネル２５は、ディスプレイ２４上に配置されており、ディスプレイ２４上に表示されたソフトキーに対する受信者の入力操作を受け付けるものである。タッチパネル２５は、タッチ入力を検出可能なものであれば良く、静電容量方式、抵抗膜方式、音響パルス認識方式、超音波表面弾性波方式、赤外遮光方式、画像認識方式等の何れであっても構わない。また、操作装置は、例えば、入力情報に対応するハードキーであっても、受信者の音声入力に対応する音声入力方式であっても構わない。
【００４６】
次に、発信者端末３の具体的構成について、図面に基づいて説明する。
【００４７】
発信者端末３は、発信者が用いる携帯電話であって、記録装置３１と、制御装置３２と、通信装置３３と、表示装置としてのディスプレイ３４と、操作装置としてのタッチパネル３５と、音声入力装置としての音声マイク３６と、を備えている。
【００４８】
記憶装置３１は、発信者端末３の動作に必要なプログラム及び各種データを備える外部記憶装置であって、例えば、フラッシュメモリ等の半導体型記憶媒体、その他の任意の記録媒体を用いることができる。
【００４９】
記憶装置３１の被照合情報データベース（以下、「被照合情報ＤＢ」という）３１ａには、被照合情報としての発信者端末３の端末識別情報が記憶される。「発信者端末の端末識別情報」とは、発信者端末３に関する情報の内、発信者端末３固有の情報であり、例えば、発信者端末３の電話番号、発信者端末３の製造番号、ＧＰＳによって得られる発信者端末３の位置情報、発信者端末３に組み込まれた非接触型ＩＣ（例えば、ソニー社のフェリカ（Ｆｅｌｉｃａ）（登録商標））の製造番号、発信者の氏名、発信者の住所等の少なくとも１つを含む発信者端末３を特定し得るものであれば、如何なるものであっても構わない。
【００５０】
制御装置３２は、図示しないＣＰＵ（Central Processing Unit）、ＲＯＭ（Read Only Memory）、ＲＡＭ（Random Access Memory）等を備えている。ＲＯＭ等に記憶されたプログラムを実行することにより、登録者端末３を動作させることができる。なお、プログラムは、登録者端末３と分離可能なコンピュータ読み取り可能な記憶媒体に記憶されても構わない。
【００５１】
制御装置３２は、受信者端末２への電話送信の際に、被照合情報ＤＢ３１ａに記録された発信者端末３の端末識別情報を、通信装置３３を介して受信者端末２に送信する端末識別情報送信部３２１を備えている。
【００５２】
通信装置３３は、受信者端末２との間で無線又は有線で各種情報の通信を行うものである。
【００５３】
ディスプレイ３４は、制御装置３２に表示制御されている。ディスプレイ３４は、例えば、液晶ディスプレイ、有機ＥＬディスプレイ等を用いても構わない。
【００５４】
タッチパネル３５は、ディスプレイ３４上に配置されており、ディスプレイ３４上に表示されたソフトキーに対する受信者の入力操作を受け付けるものである。タッチパネル２５は、タッチ入力を検出可能なものであれば良く、静電容量方式、抵抗膜方式、音響パルス認識方式、超音波表面弾性波方式、赤外遮光方式、画像認識方式等の何れであっても構わない。また、操作装置は、例えば、入力情報に対応するハードキーであっても、受信者の音声入力に対応する音声入力方式であっても構わない。
【００５５】
音声マイク３６は、発信者の音声入力を受け付けて音声情報を生成する。音声情報は、通信装置３３を介して受信者端末２に送信される。
【００５６】
認証システム１は、照合情報としての登録者の声紋情報と登録者端末の端末識別情報とを生成する照合情報生成手段を備えており、本実施例では、発信者端末３の制御装置３２が、照合情報生成手段３２２を備えている。照合情報生成手段３２２は、変換部３２２ａと、端末識別情報設定部３２２ｂとを備えている。なお、照合情報生成手段は、受信者端末２、発信者端末３、その他の端末に設けても構わない。
【００５７】
変換部３２２ａは、音声マイク３６を介して取得された登録者としての発信者の音声入力を隠れマルコフモデル等の確率モデルに基づいて登録者の声紋情報に変換する。
【００５８】
端末識別情報設定部３２２ｂは、記憶装置３１に記憶された発信者端末３に関する情報から登録者端末の端末識別情報を設定する。登録者端末の端末識別情報は、登録者が任意に選択可能であり、例えば、ディスプレイ３４上に表示された発信者端末３の情報（電話番号、位置情報、非接触型ＩＣの製造番号等）からタッチパネル３５でタッチ入力して任意に選択されることにより、選択された情報が登録者端末の端末識別情報に設定される。なお、照合情報生成手段を受信者端末２その他の端末に設ける場合には、登録者が当該端末上で登録者端末の端末識別情報を直接入力する。
【００５９】
照合情報としての登録者の声紋情報と登録者端末の端末識別情報とは、通信装置３３を介して、受信者端末２に送信されて、受信者端末２の照合情報ＤＢ２１ａ内に記憶される。
【００６０】
次に、受信者端末２が発信者端末３から電話着信を受けて、登録者の照合情報と発信者の被照合情報とを照合する認証方法について、図２に基づいて説明する。
【００６１】
まず、照合情報としての登録者の声紋情報と登録者端末の端末識別情報とを受信者端末２の登録者情報ＤＢ２１ａに予め記憶する（Ｓ１）。登録者の声紋情報は、音声マイク３６を介して取得された登録者としての発信者の音声入力を変換部３２２ａによって登録者の声紋情報に変換して得られる。登録者端末の端末識別情報は、記憶装置３１に記憶された登録者端末としての発信者端末３に関する情報から照合情報としての登録者端末の端末識別情報を端末識別情報設定部３２２ｂを介して任意に設定される。登録者の声紋情報と登録者端末の端末識別情報とは、通信装置３３を介して受信者端末２に送信され、登録者情報ＤＢ２１ａに記憶される。
【００６２】
受信者端末２が発信者端末３からの電話を着信すると（Ｓ２）、受信者端末２の判定手段２２３が、端末識別情報送信部３２１から通信装置２３を介して受信した発信者端末２の端末識別情報と、照合情報ＤＢ２１ａ内に記録された登録者端末の端末識別情報とが一致する否かを照合し、登録者端末と発信者端末３とが同一か否かを判定する（Ｓ３）。
【００６３】
通知手段２２４は、照合結果をディスプレイ２４に表示して通知する（Ｓ４）。ディスプレイ２４上に表示される照合結果は、例えば、電話番号、非接触型ＩＣの製造番号、位置情報等がそれぞれ一致しているか否かを文字や記号で表示される。
【００６４】
照合結果を受けて、受信者が発信者端末３からの着信に応答する場合、すなわち、受信者による電話応答に応じたタッチパネル２５への操作入力を制御装置２２が検出した場合、受信者端末２の自動音声送信部２２１ａが、自動音声応答通話により音声ガイダンスを発信者端末３に送信する（Ｓ５）。
【００６５】
発信者が音声ガイダンスに対して音声マイク３６に音声入力を応答すると、受信者端末２の音声情報取得部２２１ｂが、通信装置２３を介して発信者の音声情報を受信する（Ｓ６）。音声情報受信部２２１ｂが受信した発信者の音声情報を、変換手段２２２が声紋情報に変換する（Ｓ７）。
【００６６】
判定手段２２３は、照合情報ＤＢ２１ａに記憶された登録者の声紋情報と、変換手段２２２が発信者の音声情報に基づいて変換した発信者の声紋情報とを照合し、発信者と登録者とが同一か否かを判定する（Ｓ８）。
【００６７】
通知手段２２４は、登録者の声紋情報と発信者の声紋情報とを照合した照合結果をディスプレイ２４上に表示する（Ｓ９）。声紋情報の照合結果は、例えば、登録者の声紋情報と発信者の声紋情報とが一致する割合を数字、グラフ、信号等で表示される。
【００６８】
なお、本実施例では、登録者端末の端末識別情報と発信者端末３の端末識別情報との照合を実施した後に、登録者の声紋情報と発信者の声紋情報との照合を実施しているが、これらの照合は、同時に実施しても、一方の照合を先行して実施しても構わない。
【００６９】
上述したように、本発明は、声紋情報による照合に加えて、登録者端末の端末識別情報と発信者端末３の端末識別情報との照合を行うことにより、老齢化等によって発信者の音声情報が事前登録時から変化した場合であっても、発信者と登録者との認証を精度良く実施することができる。
【００７０】
また、照合結果が通知されるため、受信者が不審者からの電話を認識することができる。さらに、発信者端末３からの電話着信の際に、電話に出ることなく発信者の音声情報を受信可能なため、受信者が電話に出る前に、受信者が不審者からの電話を認識することができる。
【００７１】
なお、本発明は、本発明の精神を逸脱しない限り種々の改変をなすことができ、そして、本発明が該改変されたものにも及ぶことは当然である。
【符号の説明】
【００７２】
１  ・・・  認証システム
２  ・・・  受信者端末
２１・・・  記憶装置
２１ａ・・・照合情報ＤＢ
２２・・・  制御装置
２２１・・・取得手段
２２１ａ・・・自動音声送信部
２２１ｂ・・・音声情報受信部
２２１ｃ・・・端末識別情報受信部
２２２・・・変換手段
２２３・・・判定手段
２２４・・・通知手段
２３・・・  通信装置
２４・・・  ディスプレイ
２５・・・  タッチパネル
３  ・・・  発信者端末
３１・・・  記憶装置
３２・・・  制御装置
３２１・・・端末識別情報送信部
３２２・・・照合情報生成手段
３２２ａ・・・変換部
３２２ｂ・・・端末識別情報設定部
３３・・・  通信装置
３４・・・  ディスプレイ
３５・・・  タッチパネル
３６・・・  音声マイク
【図１】
2015079315.tif 000003
【図２】
2015079315.tif 000004